(57)【特許請求の範囲】
【請求項１】
情報がセクタ単位で構成され、前記セクタはＩＤ部と記録再生可能なデータ部で構成され、さらに前記ＩＤはセクタごとに異なるアドレス情報が複数回記録されている記録媒体を用いた情報記録再生装置であって、
ＩＤ部を復調する手段と、レーザが記録パワーで発光することができる区間を示す信号である記録ゲートが開いている場合のみレーザを記録パワー出力にするレーザ制御手段と、復調されたＩＤにもとづき、前記記録ゲートの開閉を制御する手段とを少なくとも備え、
前記記録ゲートの開閉を制御する手段は、前記複数回記録されたＩＤのうちの一部のＩＤが復調された時点で、前記一部のＩＤの復調結果として読み取りに成功したＩＤの個数が第一の条件を満たす場合に当該セクタの記録ゲートを開くように制御し、前記複数回記録されたＩＤのうちの全部のＩＤが復調された時点で、前記全部のＩＤの復調結果として読み取りに成功したＩＤの個数が第二の条件を満たさない場合には記録ゲートを閉じるように制御することを特徴とする情報記録再生装置。
【請求項２】
前記ＩＤ部を復調する手段は、ビタビ復号器と復調回路で構成され、復調手段で比較的大きな信号遅延を生じる請求項１記載の情報記録再生装置。
【請求項３】
前記第一の条件を満たして記録ゲートを開いた時点から、レーザの記録パワー学習動作が開始され、前記全部のＩＤが復調された時点では、レーザの記録パワー学習は終了ないしは継続しているが、前記データ部の記録動作は未だ開始されていないことを特徴とする請求項１または２記載の情報記録再生装置。
【請求項４】
前記ＩＤは、同じトラックセクタアドレスの４回繰り返し記録で構成されており、そのうち最初の３個のＩＤを復調し終わった時点で、前記最初の３個のＩＤの復調結果として読み取りに成功したＩＤの個数が第一の条件を満たす場合に当該セクタの記録ゲートを開くように制御し、４個のＩＤすべてを読み終わった時点で、前記４個のＩＤの復調結果として読み取りに成功したＩＤの個数が第二の条件を満たさない場合には、記録ゲートを閉じるように制御することを特徴とする請求項１、２、３記載の情報記録再生装置。
【請求項５】
情報がセクタ単位で構成され、前記セクタはＩＤ部と記録再生可能なデータ部で構成され、さらに前記ＩＤはセクタごとに異なるアドレス情報が複数回記録されている記録媒体を用い、ＩＤ部を復調する手段と、レーザが記録パワーで発光することができる区間を示す信号である記録ゲートが開いている場合のみレーザを記録パワー出力にするレーザ制御手段と、復調されたＩＤにもとづき前記記録ゲートの開閉を制御する手段とを少なくとも備えた情報記録再生装置において用いられる、記録ゲートの開閉を制御するための方法であって、
前記複数回記録されたＩＤのうちの一部のＩＤが復調された時点で、前記一部のＩＤの復調結果として読み取りに成功したＩＤの個数が第一の条件を満たす場合に当該セクタの記録ゲートを開くように制御し、前記複数回記録されたＩＤのうちの全部のＩＤが復調された時点で、前記全部のＩＤの復調結果として読み取りに成功したＩＤの個数が第二の条件を満たさない場合には記録ゲートを閉じるように制御することを特徴とする記録ゲート制御方法。
【発明の詳細な説明】
【０００１】
【発明の属する技術分野】
本発明はデジタル情報をセクタ単位で記録再生する装置、例えば記録再生型光ディスク装置に関するもので、特にその記録動作の開始方法に関するものである。
【０００２】
【従来の技術】
デジタル情報の記録媒体には、磁気ディスク装置や光ディスク装置がある。これらのディスク装置では、ディスク上がセクタと呼ばれる微少単位に分割され、セクタ単位で情報の記録再生を行っている。セクタの大きさは、普通５１２バイトから２キロバイトぐらいである。
【０００３】
これらの記録再生装置では、ランダムアクセスを可能とするために、ひとつひとつのセクタを間違いなく識別しなければならない。このため、各セクタの先頭部には識別子として例えばトラックセクタアドレスが書き込まれており、一般的にはこれをＩＤと呼んでいる。ＩＤは情報を記録したり取り出したりするのに重要な役割を果たすため、その一部がメディアディーフェクトなどで潰れても目的のセクタにアクセスできるように、同じ情報が複数回記録されている。たとえば１２８ＭＢの光磁気ディスクでは同じトラックセクタアドレスが３重書きされており、ＤＶＤ−ＲＡＭでは４重書きされている。
【０００４】
通常ＩＤ部の直後には、ＩＤ再生から記録動作に遷移するための緩衝領域としてＧＡＰ区間があり、ＧＡＰ区間の後ろにデータの記録再生部が続く。特に記録再生型光ディスクでは記録するセクタごとにＧＡＰ区間でレーザダイオードをテスト発光させ、レーザの記録時の発光パワーの校正（学習）を行う。このため、光ディスクの分野では、このＧＡＰ区間の一部をＡＬＰＣ（ＡｕｔｏｍａｔｉｃＬａｓｅｒ  Ｐｏｗｅｒ  Ｃｏｎｔｒｏｌ）と呼ぶこともある。この校正はレーザを記録パワーまで上げるので、記録しないセクタのデータ部では行ってはならない。
【０００５】
記録媒体に少しでも多くの情報を記録するためには、ＩＤ終端からデータ記録部まで、すなわちＧＡＰ区間はできるだけ少ないほうがよいので、この区間は普通狭く設定されている。したがって、情報を記録する場合には、情報記録再生装置の動作としては、ＩＤ読み取り後、すみやかに記録すべきセクタかどうかを判定し、ＧＡＰ直後に来るデータ記録再生部の始まりに合わせて記録動作を開始しなければならない。特に光ディスク装置では、前述したように、記録するセクタ毎に前記ＧＡＰ区間で半導体レーザの記録パワーの校正を行なっているので、記録データ部開始点よりも早い段階で記録するセクタか否かの判定が必須になる。
【０００６】
ここで、データを記録する場合の、従来の情報記録再生装置の具体的動作について説明する。図４は、従来の情報記録再生装置のブロック図である。
【０００７】
図４において、４００は光ディスク、４０１は光学ヘッドで光ディスクへのレーザビームによる信号の記録再生を行う。光学ヘッドにはレーザダイオードおよびフォトデテクタを含む。４０２はヘッドアンプでフォトデテクタからの信号を増幅してＲＦ信号を得る。４０３はアナログリードチャネルで、ヘッドアンプからよみだされたＲＦ信号のイコライザ処理および二値化を行う。４０４はデータの復調器、４０５はアドレス復調器でリードチャネルの二値化出力からそれぞれデータおよびトラックセクタアドレスを復調する。データ復調器４０４とアドレス復調器４０５は兼用する設計が可能である場合も多いが、ここではわかりやすくするため、別々に図示している。４０６はプリセットレジスタで記録したいセクタのトラック、セクタアドレスを事前に設定するレジスタである。この従来例ではアドレスが４重書きされており、それぞれ固有の識別ビットを持っていることを想定しているので、プリセットレジスタは４０７、４０８，４０９の合計４個を示している。４１０は比較器１で、アドレス復調器４０５からの出力とプリセットレジスタ４０６との内容を比較し一致した場合に検出パルスを出力する。４１１は比較器２、４１２は比較器３、４１３は比較器４で、それぞれ同様にアドレス復調器４０５からの出力とプリセットレジスタ４０７，４０８，４０９との内容が一致したときに検出パルスを出力する。４１４は記録ゲート開始パルス発生器で、比較器１から比較器４までの検出パルスが一定の条件を満たしたとき、たとえば比較器１〜４のうち２個以上でパルスが検出されたときに、比較器４の出力タイミング（比較器４の出力がない場合は、タイミングを内挿する）で記録ゲート発生器４１６にパルスを送出する。記録ゲート発生器４１６は、一セクタの記録部に対応する長さの記録ゲートを発生する。４１７はデータ変調器で記録したいデータを変調する。４１８はレーザ制御器で、光学ヘッド４０１に搭載されているレーザの出力パワーを制御する。レーザパワー制御器には、変調データのほかに記録ゲート信号が入力される。レーザパワー制御器は、記録ゲートが閉じている区間は、レーザの出力をディスクからのデータ読み出しに必要最小限度のパワー（再生パワーと呼ぶ）に制御するように動作し、ディスク上のデータに対して不用意に上書きまたは消去しないようになっている。
【０００８】
図５は従来の情報記録再生装置の動作タイミングチャート（１）である。図５を用いて、従来例をもう少し詳しく検討する。図５において、ディスク上の記録位置５００は実際にディスク上に刻まれている信号フォーマットを模式的に表したものである。ＩＤ１は４重書きされたＩＤのうちの１番目のＩＤ、ＩＤ２は２番目のＩＤ、ＩＤ３は３番目のＩＤ、ＩＤ４は４番目のＩＤである。図５のＩＤ２とＩＤ４の下に書かれている×印はＩＤ２とＩＤ４の読み取りを失敗（ＩＤ内部にエンコードされているＣＲＣチェックコードがＮＧであった）を示しており、ＩＤ１とＩＤ３の下に書かれている○印はＩＤ１とＩＤ３が読めた（ＩＤ内部にエンコードされているＣＲＣチェックコードがＯＫであった）を示している。さらにタイミングチャートで５０１は比較器１の出力信号、５０２は比較器２の出力信号、５０３は比較器３の出力信号、５０４は比較器４の出力信号である。ＩＤ１とＩＤ３が読めたので、タイミングチャートでは、比較器１の出力信号５０１、および比較器３の出力信号５０３のみパルスが出ている。５０５は記録ゲート開始パルス発生器４１４の出力で、４個あるＩＤのうち２個以上が読めたので、ＩＤ４の終端位置でパルスを出力している。このパルス５０５をトリガとして、記録ゲート生成器４１６は記録ゲート５０６を一定時間開く。記録ゲート５０６が開かれると、記録動作を開始しても良いものとしてレーザ制御器４１８が動作し、レーザパワー学習に続いてデータ記録動作が実際に行われる。このレーザ制御器４１８やデータ変調器４１７の詳細は、本発明と直接関係がないので説明を省略する。また、実際には光学ヘッドのサーボ制御回路が必要だが、これも発明の本質と関係ないため、ここでは省略する。
【０００９】
図６は従来の情報記録再生装置の別の動作タイミングチャート（２）である。図６においてディスク上の記録位置６００は実際にディスク上に刻まれている信号フォーマットを模式的に表したものである。この例ではＩＤ１とＩＤ２とＩＤ３の読み取りを失敗し、ＩＤ４が読めた場合を示している。６０１は比較器１の出力信号、６０２は比較器２の出力信号、６０３は比較器３の出力信号、６０４は比較器４の出力信号である。ＩＤ４が読めたので、タイミングチャートでは、比較器４の出力信号６０４のみパルスが出ている。６０５は記録ゲート開始パルス発生器４１４の出力で、４個あるＩＤのうち１個しか読めなかったのでパルスは出力されない。したがって、この場合、記録ゲート生成器４１６は記録ゲート６０６を発生しない。したがって、記録動作は開始されない。
【００１０】
【発明が解決しようとする課題】
従来例で説明したように、情報記録再生装置では、リードチャネルと呼ぶ信号処理部を持つ。リードチャネルの役割は、ヘッドアンプからの出力を受けてイコライザ処理、二値化などを行い、続くデジタルの変復調部へ信号の橋渡しを行うものである。
【００１１】
リードチャネルは、従来アナログ素子で構成されていたが、近年デジタル信号処理技術の進展に伴い、アナログ的なフィルタ処理ではなく、高周波ＲＦ信号を直接Ａ／Ｄ変換し、デジタルフィルタ処理やビタビ復号を行うことが可能になった。これらのデジタル処理では、復調信号のエラー率を改善できる利点があるが、シフトレジスタやパスメモリなどがもちいられるため、その原理上、復号に伴う信号遅延は避けられない。ビタビ復号器の遅延時間に関しては、例えば特開平５−３３５９７３号公報「ビタビ復号器及び畳み込み符号の復号器」に記載されている。
【００１２】
典型的な例では、従来のアナログリードチャネルでは回路遅延が１０クロック程度であるのに対し、デジタルリードチャネルではＦＩＲフィルタで２０クロックの入力−出力遅延が発生し、ビタビ復号器では６０クロックの復号時間を要する。したがって、この他のオーバヘッドが仮に無かったとしても、合計２０＋６０＝８０クロックの信号遅延が発生する。なお、ここで記述したクロックの単位は再生信号のリードクロックである。
【００１３】
再生専用装置においては、この復号遅延は問題にならないが、記録再生装置でかつアドレス部に上記デジタル処理を適用する場合は問題が生じる。すなわち、具体的にアドレス部の復調に上記デジタルフィルタ処理やビタビ復号を適用する場合を考えると、上記復号遅延の検討結果から、ＩＤ４がリードチャネルを通過し復調されＣＲＣ復号結果が判明するのは、実際のディスク上のＩＤ４終端部から８０クロック以上後である。したがって、そのセクタが記録すべきセクタかどうかの判定がＩＤ４の復調結果に依存する場合においては、ＩＤ４終端から８０クロック間は記録ゲートを上げることができないという問題点を有していた。記録ゲートを上げた時点からレーザの記録パワー学習を開始し、続けてデータ記録動作を開始するという従来の構成は時間的に成り立たないという問題点を有していた。また、データ記録の信頼性の問題からＩＤ４を無視して記録動作を開始するのは避けたい。
【００１４】
【課題を解決するための手段】
この課題を解決するために本発明は、
情報がセクタ単位で構成され、前記セクタはＩＤ部と記録再生可能なデータ部で構成され、さらに前記ＩＤはセクタごとに異なるアドレス情報が複数回記録されている記録媒体を用いた情報記録再生装置において、
ＩＤ部を復調する手段と、レーザが記録パワーで発光することができる区間を示す信号である記録ゲートが開いている場合のみレーザを記録パワー出力にするレーザ制御手段と、復調されたＩＤにもとづき、前記記録ゲートの開閉を制御する手段とを少なくとも備え、
前記記録ゲートの開閉を制御する手段は、前記複数回記録されたＩＤのうちの一部のＩＤが復調された時点で、前記一部のＩＤの復調結果として読み取りに成功したＩＤの個数が第一の条件を満たす場合に当該セクタの記録ゲートを開くように制御し、前記複数回記録されたＩＤのうちの全部のＩＤが復調された時点で、前記全部のＩＤの復調結果として読み取りに成功したＩＤの個数が第二の条件を満たさない場合には記録ゲートを閉じるように制御することを特徴とする情報記録再生装置を構成したものである。
【００１５】
ある実施形態では、ＩＤ部を復調する手段は、ビタビ復号器と復調回路で構成され、復調手段で比較的大きな信号遅延を生じる情報記録再生装置である。
【００１６】
ある実施形態では、前記第一の条件を満たして記録ゲートを開いた時点から、レーザの記録パワー学習動作が開始され、前記全部のＩＤが復調された時点では、レーザの記録パワー学習は終了ないしは継続しているが、前記データ部の記録動作は未だ開始されていない情報記録再生装置である。
【００１７】
ある実施の形態では、前記ＩＤは、同じトラックセクタアドレスの４回繰り返し記録で構成されており、そのうち最初の３個のＩＤを復調し終わった時点で、前記最初の３個のＩＤの復調結果として読み取りに成功したＩＤの個数が第一の条件を満たす場合に当該セクタの記録ゲートを開くように制御し、４個のＩＤすべてを読み終わった時点で、前記４個のＩＤの復調結果として読み取りに成功したＩＤの個数が第二の条件を満たさない場合には、記録ゲートを閉じるように制御する情報記録再生装置である。
【００１８】
または、前記複数回記録されたＩＤのうちの一部のＩＤが復調された時点で、前記一部のＩＤの復調結果として読み取りに成功したＩＤの個数が第一の条件を満たす場合に当該セクタの記録ゲートを開くように制御し、前記複数回記録されたＩＤのうちの全部のＩＤが復調された時点で、前記全部のＩＤの復調結果として読み取りに成功したＩＤの個数が第二の条件を満たさない場合には記録ゲートを閉じるように制御する記録ゲート制御方法である。
【００１９】
【発明の実施の形態】
次に本発明の具体例を説明する。
【００２０】
（実施例１）
図１は、本発明の一実施例である情報記録再生装置のブロック図である。図１において、１００は光ディスク、１０１は光学ヘッドで光ディスクへのレーザビームによる信号の記録再生を行う。光学ヘッドにはレーザダイオードおよびフォトデテクタを含む。１０２はヘッドアンプでフォトデテクタからの信号を増幅してＲＦ信号を得る。１０３はビタビ復号器で、ヘッドアンプからのＲＦ信号をＡ／Ｄ変換し、デジタルフィルタ処理、ビタビ復号処理を行い、二値化したデータをデータ復調器１０４およびアドレス復調器１０５に送出する為のすべての回路が含まれているとする。１０４はデータ復調器でデータの復調を行う。１０５はアドレス復調器で、二値化データからアドレスを復調する。データ復調器１０４とアドレス復調器１０５は兼用できる場合もある。１０６はプリセットレジスタで記録したいセクタのトラック、セクタアドレスを事前に設定するレジスタである。この実施例ではアドレスが４重書きされており、それぞれ固有の識別ビットを持っていることを想定しているので、プリセットレジスタは１０７、１０８，１０９の合計４個を示している。１１０は比較器１で、アドレス復調器１０５からの出力とプリセットレジスタ１０６との内容を比較し一致した場合に検出パルスを出力する。アドレス内にエンコードされているＣＲＣチェックコードがＮＧのときは、仮にここではアドレス復調器からのデータ出力はされないものとして説明する。１１１は比較器２、１１２は比較器３、１１３は比較器４で、それぞれ同様にアドレス復調器１０５からの出力とプリセットレジスタ１０７，１０８，１０９との内容が一致したときに検出パルスを出力する。１１４は記録ゲート開始パルス発生器で、比較器１、比較器２、比較器３のうちどれか１個から検出パルスが出力された場合に、記録ゲートを発生すべき位置で開始パルスを出力する。比較器４の出力が記録ゲート開始パルス発生器に入力されていないのは、比較器４の出力タイミングよりも、記録ゲート開始パルス発生器の出力タイミングのほうが早いためである。１１５は記録ゲート停止パルス発生器で、比較器１から比較器４までの４つの出力パルスが２個未満のとき、停止パルスを発生する。停止パルスが発生できるタイミングは、ＩＤ４がビタビ復号器を通過し、復調動作が終了した時点であり、実際にはＧＡＰ部の中間付近である。１１６は記録ゲート生成器で、記録ゲート開始パルス発生器１１０からのパルスにより一定クロック数の記録ゲートを発生し、また、記録ゲート停止パルス発生器１１１からの出力を受けた場合には、記録ゲートを閉じるように動作する。１１７はデータ変調器で記録したいデータを変調する。１１８はレーザ制御器で、光学ヘッド１０１に搭載されているレーザの出力パワーを制御する。レーザパワー制御器には、変調データのほかに記録ゲート信号が入力される。レーザパワー制御器は、記録ゲートが閉じている区間は、レーザの出力をディスクからのデータ読み出しに必要最小限度のパワー（再生パワーと呼ぶ）に制御するように動作し、ディスク上のデータに対して不用意に上書きまたは消去しないようになっている。
【００２１】
図２は実施例における情報記録再生装置の動作タイミングチャート（１）である。図２を用いて、実施例をさらに詳しく検討する。図２において、ディスク上の記録位置２００は実際にディスク上に刻まれている信号フォーマットを模式的に表したものである。ＩＤ１は４重書きされたＩＤのうちの１番目のＩＤ、ＩＤ２は２番目のＩＤ、ＩＤ３は３番目のＩＤ、ＩＤ４は４番目のＩＤである。ここではＩＤ１、ＩＤ２、ＩＤ４の読み取りを失敗し、ＩＤ３が読めた（ＩＤ内部にエンコードされているＣＲＣチェックコードがＯＫとなった場合）を示している。２０１はリードチャネル通過後の信号タイミングである。この実施例ではデジタルフィルタ、ビタビ復号のため、時間遅れを生じているとしている。さらにタイミングチャートで２０２は比較器１の出力信号、２０３は比較器２の出力信号、２０４は比較器３の出力信号、２０５は比較器４の出力信号である。ＩＤ３が読めたので、タイミングチャートでは、比較器３の出力信号２０４のみパルスが出ている。２０６は記録ゲート開始パルス発生器１１４の出力で、４個あるＩＤのうち１個以上が読めたので、開始パルス発生器はＩＤ３のＣＲＣＯＫの位置を基準として一定時間カウントし、本来の記録ゲートを発生すべき位置でパルスを出力している。このパルス２０６をきっかけとして、記録ゲート生成器１１６は記録ゲート２０８を仮に開く。記録ゲート２０８が開かれると、記録動作を開始しても良いものとしてレーザ変調器が動作し、レーザパワー学習が開始される。このレーザ制御器１１８やデータ変調器１１７の詳細は、本発明と直接関係がないので説明を省略する。
【００２２】
次にＩＤ４の復調終了位置に着目する。ＩＤ４は読み取り失敗、すなわちＣＲＣチェックコードがＮＧであったとする。このとき、ＩＤ１からＩＤ４の４個のＩＤのうち、１個しか読めなかったので、記録条件をＩＤ２個以上読めた場合とすれば、条件を満足しない。したがって、記録ゲート停止パルス発生器１１５は記録停止パルス２０７を記録ゲート生成器１１６に出力する。実際にはＩＤ４のＣＲＣＮＧの情報が記録ゲート停止パルス発生器１１５に必要だが、説明をわかりやすくするためタイミングチャートでは省略した。記録ゲート生成器１１６は記録ゲート停止パルス２０７を受けたので、記録ゲート２０８をすみやかに閉じる落とすように動作する。レーザ制御器１１８は、記録ゲートが閉じると、すみやかに記録パワー学習を中断し、以後レーザを再生パワーにする。
【００２３】
この場合、実際ディスク上では、ＧＡＰ部の一部で記録ゲートが開いているので、この区間ではレーザを記録パワーでディスクに照射することになる。しかし、次回にこのセクタを読み出すとき、ＧＡＰ部（ＡＬＰＣ区間）のデータは、復調回路で通常無視するように設計されているので、実用上の問題はない。
【００２４】
図３は実施例における情報記録再生装置の動作タイミングチャート（２）である。図３においてディスク上の記録位置３００は実際にディスク上に刻まれている信号フォーマットを模式的に表したものである。この例ではＩＤ１とＩＤ２の読み取りを失敗し、ＩＤ３とＩＤ４が読めた場合を示している。３０１はリードチャネル通過後の信号、３０２は比較器１の出力信号、３０３は比較器２の出力信号、３０４は比較器３の出力信号、３０５は比較器４の出力信号である。ＩＤ３とＩＤ４が読めたので、タイミングチャートでは、比較器３の出力信号３０４と比較器４の出力信号３０５のみパルスが出ている。３０６は記録ゲート開始パルス発生器１１０の出力で、４個あるＩＤのうち１個以上が読めたので、本来の記録ゲートを発生すべき位置でパルスを出力している。このパルス３０６をきっかけとして、記録ゲート生成器１１６は記録ゲート３０８を仮に上げる。記録ゲートは記録系の回路の動作開始信号として扱われている。記録ゲート３０８が開かれるとレーザ制御器１１８の制御によりレーザパワー学習が開始され、続いてデータ記録動作が行われる。
【００２５】
次にＩＤ４の復調終了位置に着目する。ＩＤ４は読み取り可能、すなわちＣＲＣチェックコードがＯＫであったとする。このとき、ＩＤ１からＩＤ４の４個のＩＤのうち、２個読めているので、記録条件を満足する。したがって、記録条件の再判断は論理的には行われているのであるが、結果として回路動作としては、記録ゲート停止パルス発生器１１５は記録停止パルスを発生しない。記録ゲート生成器１１６はデータ記録部分の記録動作が完了するまで記録ゲートを出しつづける。
【００２６】
なお、本実施例では、ＩＤが４重書きされており、そのうちの２個以上が読めた場合に当該セクタの記録動作を開始するとして説明したが、おのおのの数については、発明の趣旨を変えない範囲で別の設定も可能である。また、ＩＤ４が記録条件を左右する状態は、常に発生するものではなく、ＩＤの読み取りエラー率に依存することは言うまでもない。本実施例では、比較器、プリセットレジスタは説明をわかりやすくするためアドレスの個数分示したが、実際には回路の工夫によりさまざまな実施形態が考えられる。
【００２７】
【発明の効果】
以上のように本発明によれば、デジタルフィルタやビタビ復号などデジタル化され、トラックセクタドレスの信号遅延の大きなリードチャネルの採用に際しても、アドレスを正しく判断し、フォーマット上の正しい位置から記録開始可能な手段を提供することができ、その実用的効果は大きい。
【図面の簡単な説明】
【図１】本発明の一実施の形態による構成図
【図２】本発明の一実施の形態によるタイミングを示す図
【図３】本発明の一実施の形態によるタイミングを示す図
【図４】従来の情報記録再生装置の構成図
【図５】従来の情報記録再生装置のタイミングを示す図
【図６】従来の情報記録再生装置のタイミングを示す図
【符号の説明】
１００  光ディスク
１０１  光学ヘッド
１０２  ヘッドアンプ
１０３  ビタビ復号器
１０４  データ復調器
１０５  アドレス復調器
１０６  プリセットレジスタ１
１０７  プリセットレジスタ２
１０８  プリセットレジスタ３
１０９  プリセットレジスタ４
１１０  比較器１
１１１  比較器２
１１２  比較器３
１１３  比較器４
１１４  記録ゲート開始パルス発生器
１１５  記録ゲート停止パルス発生器
１１６  記録ゲート生成器
１１７  データ変調器
１１８  レーザ制御器
２００  ディスク上の記録位置
２０１  ビタビ復号器出力
２０２  比較器１出力
２０３  比較器２出力
２０４  比較器３出力
２０５  比較器４出力
２０６  記録ゲート開始パルス
２０７  記録ゲート停止パルス
２０８  記録ゲート
３００  ディスク上の記録位置
３０１  ビタビ復号器出力
３０２  比較器１出力
３０３  比較器２出力
３０４  比較器３出力
３０５  比較器４出力
３０６  記録ゲート開始パルス
３０７  記録ゲート停止パルス
３０８  記録ゲート
４００  光ディスク
４０１  光学ヘッド
４０２  ヘッドアンプ
４０３  アナログリードチャネル
４０４  データ復調器
４０５  アドレス復調器
４０６  プリセットレジスタ１
４０７  プリセットレジスタ２
４０８  プリセットレジスタ３
４０９  プリセットレジスタ４
４１０  比較器１
４１１  比較器２
４１２  比較器３
４１３  比較器４
４１４  記録ゲート開始パルス発生器
４１６  記録ゲート生成器
４１７  データ変調器
４１８  レーザ制御器
５００  ディスク上の記録位置
５０１  比較器１出力
５０２  比較器２出力
５０３  比較器３出力
５０４  比較器４出力
５０５  記録ゲート開始パルス
５０６  記録ゲート
６００  ディスク上の記録位置
６０１  比較器１出力
６０２  比較器２出力
６０３  比較器３出力
６０４  比較器４出力
６０５  記録ゲート開始パルス
６０６  記録ゲート
【図１】
0003941185.tif 000002
【図２】
0003941185.tif 000003
【図３】
0003941185.tif 000004
【図４】
0003941185.tif 000005
【図５】
0003941185.tif 000006
【図６】
0003941185.tif 000007